(57)【特許請求の範囲】
【請求項１】
プリペイドカードのカードリーダーをケース体に内蔵すると共に残額が「０」になったプリペイドカードをカードリーダーの挿入・排出口に自動的に排出させるようになし、さらに排出されたプリペイドカードの残額が「０」であることを表示する表示部を前記ケース体の前面上部に設けてなり、前記プリペイドカードの残額を表示する残額表示部を設けたパチンコ機に対し該パチンコ機の操作ハンドルから遠い側の側面の横に並べて設置するようにしたことを特徴とするパチンコ機用球貸装置。
【請求項２】
運転可能状態を示すランプを残額「０」の表示部として利用し、運転可能表示とは異なる表示を行うことによって残額「０」を表示させるようにしたことを特徴とする請求項１記載のパチンコ機用球貸装置。
【発明の詳細な説明】
【０００１】
【産業上の利用分野】
本発明は、プリペイドカードを使って遊技客にパチンコ球を貸し出すパチンコ機用球貸装置に関する。
【０００２】
【従来の技術】
近年、パチンコ業界において遊技料金を前払いするプリペイドカードが普及しつつあり、例えばプリペイドカード用のカードリーダーを内蔵した薄型のパチンコ機用球貸装置がパチンコ機の横に並べて設置されている。そのパチンコ機用球貸装置とパチンコ機は電気的に接続されていて、カードリーダーで読み取ったプリペイドカードの残額情報がパチンコ機の上球皿に設けた残額表示部にデジタル表示される。
【０００３】
而して、カードリーダーの挿入・排出口に差し込まれたプリペイドカードは、該カードリーダー内の移送手段によってカードリーダー内に自動的に引き込まれる。一方、遊技客の返却指示を受けるか、又は、残額「０」となったプリペイドカードは、前記移送手段によって挿入・排出口に送り出され、その挿入・排出口から外部に先端を突き出した状態で停止する。
【０００４】
【発明が解決しようとする課題】
上記のように、カードリーダーの挿入・排出口に送り出されたプリペイドカードは、殆どの場合遊技客によって回収される。しかし、プリペイドカードの残額が「０」の場合には、プリペイドカードをカードリーダーの挿入・排出口に放置してそのまま立ち去る遊技客も多い。一般に、カードリーダーの挿入・排出口にプリペイドカードが差し込まれていると、そのパチンコ機は遊技客に敬遠されて稼働率が著しく低下する。従って、残額「０」で放置されているプリペイドカードは、なるべく早く回収するのが望ましい。
【０００５】
【課題を解決するための手段】
プリペイドカードのカードリーダーをケース体に内蔵すると共に残額が「０」になったプリペイドカードをカードリーダーの挿入・排出口に自動的に排出させるようになし、さらに排出されたプリペイドカードの残額が「０」であることを表示する表示部を前記ケース体の前面上部に設けてなり、前記プリペイドカードの残額を表示する残額表示部を設けたパチンコ機に対し該パチンコ機の操作ハンドルから遠い側の側面の横に並べて設置するようにしたパチンコ機用球貸装置を提供する。
【０００６】
【作用】
残額「０」のプリペイドカードがカードリーダーの挿入・排出口に排出されると表示部の表示状態が切り替わる。従って、挿入・排出口にある不要なプリペイドカードを迅速に回収廃棄することができる。また、前記表示部がケース体の前面上部の高所にあるため、遠くからでも容易に発見できる。
【０００７】
【実施例】
以下に本発明の実施例を図面を参照しつつ説明する。なお、図１はパチンコ機用球貸装置とパチンコ機の組み合わせ斜視図、図２は図１の裏面図である。
パチンコ機Ｐは、長方形の枠状をなす外枠１と、その外枠１の一側に開閉自在に蝶着した前枠２とを有する。
前枠２には、大きな長方形状の窓孔３が開設されており、該窓孔３を塞ぐように、上にガラス扉枠４が、下に前面板５が夫々開閉自在に装着されている。該前面板５は、その前面にパチンコ球を溜める上球皿６ａと、後述するパチンコ機用球貸装置７の制御装置８に貸球命令をキー入力する貸球ボタン９やプリペイドカードの返却命令をキー入力する返却ボタン１０、及び、プリペイドカードの残額を表示するデジタル式の残額表示部１１等を設けた操作パネル１２を有する。
一方、前枠２の裏面には遊技板１３と、該遊技板１３に重合する機構板１４が設けられている。
その他前枠２には、前記上球皿６ａからの溢れ球を受ける下球皿６ｂと、パチンコ球の発射勢を調節する操作ハンドル１５等が設けられている。
【０００８】
図２に示したように前記機構板１４は、遊技板１３を囲う周枠１６に対して開閉自在に蝶着されている。この機構板１４には上から順に、パチンコ球を蓄える球タンク１７と、球タンク１７のパチンコ球を通す導入樋１８と、該導入樋１８の終端に連通し、一定数（例えば１５個）の景品球をモータ１９の駆動で放出する景品球放出装置２０と、該景品球放出装置２０から放出されたパチンコ球を前記上球皿６ａと下球皿６ｂに導く案内樋２１が設けられている。
また、機構板１４には、入賞球を集める球集合樋２２と、その球集合樋２２の終端に連通して１個づつ入賞球を受け入れ、該入賞球を球検出スイッチ２３で検出することによって前記景品球放出装置２０を作動させる入賞球処理装置２４等が設けられている。
【０００９】
一方、パチンコ機用球貸装置７は、薄型直方体のケース体２５に内蔵したカードリーダー２６と制御装置８、及び、前記パチンコ機Ｐの景品球放出装置２０を兼用する球放出装置２７によって構成される。
前記カードリーダー２６は、プリペイドカードに対して金額情報を読み書きするものであり、プリペイドカードの挿入・排出口２８をケース体２５の前面に臨ませると共に、モータ（図示せず）等の移送手段によってプリペイドカードを出し入れする。このカードリーダー２６には図示しないがプリペイドカードが挿入・排出口２８に存在することを検出するセンサーが内蔵されていて、その情報が前記制御装置８に送られる。なお、センサーは、マイクロスイッチでもよいし、発光素子と受光素子の組み合わせによる光学的なスイッチでもよい。光学的なスイッチを使用する場合は、プリペイドカードに穿設される残額「０」の印孔を利用すればよい。
【００１０】
而して、パチンコ機用球貸装置７のケース体２５の前面上部には、発光ダイオードからなる表示部２９が設けられている。この表示部２９は、パチンコ機用球貸装置７の制御装置８によって点灯・消灯が制御されるもので、プリペイドカードの残額が「０」で、且つ、カードリーダー２６の挿入・排出口２８にプリペイドカードが存在することを条件に点灯し、その挿入・排出口２８からプリペイドカードがなくなったことを条件に消灯する。
【００１１】
次に動作説明をする。
遊技客がパチンコ遊技を開始する場合は、先ず、カードリーダー２６の挿入・排出口２８にプリペイドカードを挿入する。プリペイドカードは、カードリーダー２６内に引き込まれて金額情報が読み取られる。この金額情報は、制御装置８を介して遊技客向けの残額表示部１１にデジタル表示される。そして、遊技客は、その金額情報を見ながらプリペイドカードの残額の範囲内で貸球ボタン９を押す。この貸球ボタン９の信号を受けた制御装置８は、球放出装置２７のモータ１９を作動させて希望額のパチンコ球を上球皿６ａに排出する。
【００１２】
さて、カードリーダー２６内のプリペイドカードが残額「０」になると返却ボタン１０のキー入力がなくとも自動的にプリペイドカードが挿入・排出口２８に送り出される。そうすると、その残額「０」のプリペイドカードがセンサーで検出されて表示部２９が点灯する。この点灯状態は、プリペイドカードを挿入・排出口２８から抜き取らない限り続く。従って従業員は、表示部２９にさえ注意していれば放置された残額「０」のプリペイドカードを遠くからでも簡単に発見することができる。そして、そのようなプリペイドカードを発見した場合は、速やかにカードリーダー２６から抜き取って廃棄する。
【００１３】
以上本発明を実施例について説明したが、もちろん本発明は上記実施例に限定されるものではない。例えば、パチンコ機用球貸装置７の球放出装置２７は、パチンコ機Ｐの景品球放出装置２０を兼用したが、球放出装置２７をケース体２５側に組み込んだり、或いは、景品球放出装置２０の上に別体で球放出装置２７を重ねるようにして設置してもよい。
【００１４】
また、表示部２９は、表示状態で点滅させるようになし、その点滅サイクルを時間の経過に伴って短くするようにしてもよい。
また、表示部２９は、遊技客向けの残額表示部１１と別であれば他の目的で設けられている表示部を兼用するようにしてもよい。例えば、パチンコ機用球貸装置７のケース体２５には、カードリーダー２６内にプリペイドカードを差し込むと点灯してパチンコ機用球貸装置７の運転可能状態を示すランプが設けられているが、このランプを点滅させれば表示部２９として使用することもできる。
【００１５】
【発明の効果】
以上のように本発明のパチンコ機用球貸装置は、残額「０」のプリペイドカードがカードリーダーの挿入・排出口に排出されると表示部の表示状態が切り替わるため、そのようなプリペイドカードを迅速に廃棄することができる。従ってパチンコ機の稼働率向上に優れた効果を発揮する。また、本発明のパチンコ機用球貸装置は、前記表示部をケース体の前面上部の高所に設けたため、遠くからでも容易に発見できる効果がある。
【図面の簡単な説明】
【図１】パチンコ機用球貸装置とパチンコ機の組み合わせ斜視図である。
【図２】図１の裏面図である。
【符号の説明】
Ｐ    …パチンコ機
７    …パチンコ機用球貸装置
１１  …残額表示部
１５  …操作ハンドル
２５  …ケース体
２６  …カードリーダー
２９  …表示部
【図１】
0003604157.tif 000002
【図２】
0003604157.tif 000003